(57)【要約】  下りリンク上のデータ送信を容易にするためにタイミング情報を報知する技術が記載される。ユーザ装置（ＵＥ）は、ＵＥへのデータ送信のために利用可能な複数のセルから信号を受信することができる。各セルは、ＵＥに対し、異なる伝送遅延をもち得る。ＵＥは、受信する信号に基づいてタイミング情報を決め、１またはそれより多くのセルにタイミング情報を報知する。タイミング情報は、ＵＥでの各セルの受信時刻をもつ。ＵＥは、タイミング情報に基づき、複数のセルから選択され得る、少なくとも１つのセルからデータ送信を受ける。この少なくとも１つのセルは、協調、または、非協調のデータ送信を行うことができる。協調送信モードは、タイミング情報に基づき決められてよく、例えば、ジョイントトランスミッション（joint transmission）、協調ビームフォーミング（coordinated beamforming）、協調サイレンシング（coordinated silencing）を含む。
2013507889.tif 000002
【特許請求の範囲】
【請求項１】
ユーザ装置（ＵＥ）で、このＵＥへのデータ送信のために利用可能な複数のセルからの信号を受信することと、
前記受信される信号に基づいて、前記複数のセルに係るタイミング情報を決めることと、
前記複数のセルに係る前記タイミング情報を送ることと、
前記タイミング情報に基づき決められる前記複数のセルの中の少なくとも１つのセルから、データ送信を受信することと、
を備える無線通信のための方法。
【請求項２】
前記データ送信は、協調送信、または、非協調送信を含む、請求項１に記載の方法。
【請求項３】
前記協調送信は、前記複数のセルの中のセル群による、ジョイントトランスミッション、協調ビームフォーミング、または、協調サイレンシングを含む、請求項２に記載の方法。
【請求項４】
前記データ送信は複数のセルから受信され、当該複数のセルの各々は、タイミングウインドウの中にはいる前記ＵＥでの受信時刻をもつ、請求項１に記載の方法。
【請求項５】
前記データ送信は、単一のセルから受信される、請求項１に記載の方法。
【請求項６】
前記データ送信は、前記複数のセルの中の少なくとも１つの他のセルからの第２のデータ送信に関連し、前記第２のデータ送信は、前記タイミング情報に少なくとも部分的に基づいた協調ビームフォーミングを含む、請求項１に記載の方法。
【請求項７】
前記少なくとも１つの他のセルは、タイミングウインドウの外にある前記ＵＥでの受信時刻をもつ、請求項６に記載の方法。
【請求項８】
前記データ送信は、前記複数のセルの中の少なくとも１つの他のセルの協調サイレンシングに関連し、
前記協調サイレンシングは、タイミング情報に少なくとも部分的に基づく、
請求項１に記載の方法。
【請求項９】
前記タイミング情報を決めることは、
前記複数のセルの各々の前記ＵＥでの受信時刻を決めることと、
前記複数のセルの前記ＵＥでの受信時刻に基づいてタイミング情報を決めること、
を有する、請求項１に記載の方法。
【請求項１０】
前記複数のセルの各々の前記受信時刻を決めることは、
当該セルに係る、最初に到達する経路、または、最も強い経路、または、チャネルインパルス応答の集まりの中心に基づいて、各セルの前記受信時刻を決めること、
を含む、請求項９に記載の方法。
【請求項１１】
前記タイミング情報は、前記複数のセルの各々の受信時刻がＵＥでタイミングウインドウの中にはいるがどうかを示すものを含む、請求項９に記載の方法。
【請求項１２】
前記タイミングウインドウは、前記受信される信号の巡回プレフィックスに基づいて決められる幅をもつ、請求項１１に記載の方法。
【請求項１３】
前記タイミング情報を決めることは、
基準時刻を決めることと、
前記複数のセルの各々の前記ＵＥでの受信時刻を決めることと、
前記セルの前記受信時刻と前記基準時刻とに基づいて、前記複数のセルの各々に係る時間差を決めることと、
前記複数のセルに係る前記時間差に基づいて前記タイミング情報を決めることと、
を有する、請求項１に記載の方法。
【請求項１４】
前記基準時刻を決めることは、
前記複数のセルの中の指定されるセルに係る、最初に到達する経路、または、最も強い経路、または、チャネルインパルス応答の集まりの中心に基づいて、前記基準時刻を決めること、
を有する、請求項１３に記載の方法。
【請求項１５】
前記基準時刻を決めることは、
前記複数のセルの中の少なくとも２つのセルに係る、最初に到達する経路、または、最も強い経路、または、チャネルインパルス応答の集まりの中心に基づいて、前記基準時刻を決めること、
を有する、請求項１３に記載の方法。
【請求項１６】
前記タイミング情報を報知することは、
協調多地点送信（ＣｏＭＰ）の組の中のサービスを提供するセルに前記タイミング情報を報知すること、
を有する、請求項１に記載の方法。
【請求項１７】
前記ＵＥへのデータ送信に用いるために、前記複数のセルに係るチャネル状態情報を前記ＵＥにより報知すること、
を更に備える、請求項１に記載の方法。
【請求項１８】
前記複数のセルに係る前記チャネル状態情報と前記タイミング情報をもつフィードバックレポートを生成することと、
前記ＵＥに前記フィードバックレポートを送ることと、
を更に備える、請求項１７に記載の方法。
【請求項１９】
データ送信のために利用可能な複数のセルからの信号を受信するための手段と、
前記受信される信号に基づいて、前記複数のセルに係るタイミング情報を決めるための手段と、
前記複数のセルに係る前記タイミング情報を送るための手段と、
前記タイミング情報に基づき決められる前記複数のセルの中の少なくとも１つのセルから、データ送信を受信するための手段と、
を備える無線通信のための装置。
【請求項２０】
前記データ送信は、協調送信、または、非協調送信を含む、請求項１９に記載の装置。
【請求項２１】
前記協調送信は、前記複数のセルの中のセル群による、ジョイントトランスミッション、協調ビームフォーミング、または、協調サイレンシングを含む、請求項２０に記載の装置。
【請求項２２】
前記タイミング情報を決めるための手段は、
前記複数のセルの各々のユーザ装置（ＵＥ）での受信時刻を決めるための手段と、
前記複数のセルの前記ＵＥでの受信時刻に基づいてタイミング情報を決めるための手段と、
を有する、請求項１９に記載の装置。
【請求項２３】
前記受信時刻を決めるための手段は、
前記セルに係る、最初に到達する経路、または、最も強い経路、または、チャネルインパルス応答の集まりの中心に基づいて、各セルの前記受信時刻を決めるための手段、
を有する、請求項２２に記載の装置。
【請求項２４】
前記タイミング情報を決めるための手段は、
基準時刻を決めるための手段と、
前記複数のセルの各々のユーザ装置（ＵＥ）での受信時刻を決めるための手段と、
前記セルの前記受信時刻と前記基準時刻とに基づいて、前記複数のセルの各々に係る時間差を決めるための手段と、
前記複数のセルに係る前記時間差に基づいて前記タイミング情報を決めるための手段と、
を有する、請求項１９に記載の装置。
【請求項２５】
ユーザ装置（ＵＥ）により、前記複数のセルに係るチャネル状態情報を決めるための手段と、
前記複数のセルに係る前記チャネル状態情報と前記タイミング情報をもつフィードバックレポートを生成するための手段と、
前記ＵＥによって当該フィードバックレポートを送るための手段と、
を更に備える、請求項１９に記載の装置。
【請求項２６】
データ送信のために利用可能な複数のセルからの信号を受信し、
前記受信される信号に基づいて、前記複数のセルに係るタイミング情報を決め、
前記複数のセルに係る前記タイミング情報を報知し、
前記タイミング情報に基づき決められる前記複数のセルの中の少なくとも１つのセルから、データ送信を受信する、
ために構成される少なくとも１つのプロセッサを備える無線通信のための装置。
【請求項２７】
前記データ送信は、協調送信、または、非協調送信を含む、請求項２６に記載の装置。
【請求項２８】
前記協調送信は、前記複数のセルの中のセル群による、ジョイントトランスミッション、協調ビームフォーミング、または、協調サイレンシングを含む、請求項２７に記載の装置。
【請求項２９】
前記少なくとも１つのプロセッサは、
前記複数のセルの各々のユーザ装置（ＵＥ）での受信時刻を決め、
前記複数のセルの前記ＵＥでの受信時刻に基づいて前記タイミング情報を決める、
ために構成される、請求項２６に記載の装置。
【請求項３０】
前記少なくとも１つのプロセッサは、
前記セルに係る、最初に到達する経路、または、最も強い経路、または、チャネルインパルス応答の集まり（mass）の中心に基づいて、各セルの前記受信時刻を決める、
ために構成される、請求項３０に記載の装置。
【請求項３１】
前記少なくとも１つのプロセッサは、
基準時刻を決め、
前記複数のセルの各々のユーザ装置（ＵＥ）での受信時刻を決め、
前記セルの前記受信時刻と前記基準時刻とに基づいて、前記複数のセルの各々に係る時間差を決め、
前記複数のセルに係る時間差に基づいて前記タイミング情報を決める、
ために構成される、請求項２６に記載の装置。
【請求項３２】
前記少なくとも１つのプロセッサは、
ユーザ装置（ＵＥ）により、前記複数のセルに係るチャネル状態情報を決め、
前記複数のセルに係る前記チャネル状態情報と前記タイミング情報をもつフィードバックレポートを生成し、
前記ＵＥに前記フィードバックレポートを送る、
ために構成される、請求項２６に記載の装置。
【請求項３３】
ユーザ装置（ＵＥ）へのデータ送信のために利用可能な複数のセルからの信号を受信するよう、少なくとも１つのコンピュータを動作させるコードと、
前記受信される信号に基づいて、前記複数のセルに係るタイミング情報を決めるよう、少なくとも１つのコンピュータを動作させるコードと、
前記複数のセルに係る前記タイミング情報を前記ＵＥにより報知するよう、少なくとも１つのコンピュータを動作させるコードと、
前記複数のセルに係る前記タイミング情報に基づき決められる前記複数のセルの中の少なくとも１つのセルからデータ送信を受信するよう、少なくとも１つのコンピュータを動作させるコードと、
を有する非一時的なコンピュータ読み出し可能媒体を備えるコンピュータプログラム製品。
【請求項３４】
ユーザ装置（ＵＥ）から複数のセルに係るタイミング情報を受信することと、
前記タイミング情報に基づいて、協調データ送信または非協調データ送信を含むデータ送信を決めることと、
前記データ送信の一部として、前記複数のセルの中の１またはそれより多くのセルからデータを送ることと、
を備える、無線通信のための方法。
【請求項３５】
前記タイミング情報に基づいて、１またはそれより多くのセルが前記データ送信に関与することを決めること、
を更に備える、請求項３４に記載の方法。
【請求項３６】
前記タイミング情報に基づいて前記ＵＥのための協調送信モードを決めること、
を更に備える、請求項３５に記載の方法。
【請求項３７】
前記協調送信モードは、前記複数のセルの中のセル群による、ジョイントトランスミッション、協調ビームフォーミング、または、協調サイレンシングを含む、請求項３６に記載の方法。
【請求項３８】
前記１つまたはそれより多くのセルは、前記データ送信に関与するために選択される複数のセルを含み、
前記データ送信に関与するために選択される前記複数のセルの各々は、タイミングウインドウの中にはいるＵＥでの受信時刻をもつ、
請求項３４に記載の方法。
【請求項３９】
前記複数のセルの中の少なくとも１つのセルが前記ＵＥのための協調ビームフォーミングを実行することを決めること、ここで、前記少なくとも１つのセルは、タイミングウインドウの外に前記ＵＥでの受信時刻をもつ、
請求項３４に記載の方法。
【請求項４０】
前記複数のセルの中の少なくとも１つのセルが前記ＵＥのための協調サイレンシングを行うことを決めること、
を更に備える、請求項３４に記載の方法。
【請求項４１】
前記１つまたはそれより多くのセルが前記データ送信に関与することを決めることは、
対応する信号に係る受信時刻がＵＥでタイミングウインドウの中にあるかどうかを決めることと、
前記タイミングウインドウの中に受信時刻をもつセルの中から１つまたはそれより多くのセルを選択することと、
を有する、請求項３４に記載の方法。
【請求項４２】
前記１またはそれより多くのセルが前記データ送信に関与することを決めることは、
前記タイミング情報から、前記複数のセルの各々に係る時間差を得ること、ここで、各セルに係る前記時間差は、当該セルの前記ＵＥでの受信時刻と基準時刻とに基づいて決められる、と、
少なくとも前記時間差に基づき前記１つまたはそれより多くのセルを選択することと、
を有する、請求項３４に記載の方法。
【請求項４３】
前記複数のセルに係るチャネル状態情報を前記ＵＥから受信すること、を更に備え、
前記データ送信を送ることは、前記チャネル状態情報に基づき前記１つまたはそれより多くのセルから前記データ送信を送ることを有する、
請求項３４に記載の方法。
【請求項４４】
ユーザ装置（ＵＥ）から複数のセルに係るタイミング情報を受信するための手段と、
前記タイミング情報に基づいて、協調データ送信または非協調データ送信を含むデータ送信を決めるための手段と、
前記データ送信の一部として、前記複数のセルにおける１つまたはそれより多くのセルからデータを送る手段と、
を備える、無線通信のための装置。
【請求項４５】
前記タイミング情報に基づいて、１またはそれより多くのセルが前記データ送信に関与することを決めるための手段、
を更に備える、請求項４５に記載の装置。
【請求項４６】
前記タイミング情報に基づいて前記ＵＥのための協調送信モードを決めるための手段、
を更に備える、請求項４４に記載の装置。
【請求項４７】
前記協調送信モードは、前記複数のセルの中のセル群による、ジョイントトランスミッション、協調ビームフォーミング、または、協調サイレンシングを含む、請求項４６に記載の装置。
【請求項４８】
前記１つまたはそれより多くのセルを決めるための手段は、
前記タイミング情報に基づいて、前記複数のセルの各々のＵＥでの受信時刻がタイミングウインドウの中にはいるかどうかを決めるための手段と、
前記タイミングウインドウの中にはいる受信時刻をもつ前記セル群から前記１つまたはそれより多くのセルを選択するための手段と、
を有する、請求項４４に記載の装置。
【請求項４９】
前記１つまたはそれより多くのセルを決めるための手段は、
前記タイミング情報から、前記複数のセルの各々に係る時間差を得るための手段、ここで、各セルに係る前記時間差は、当該セルの前記ＵＥでの受信時刻と基準時刻とに基づいて決められる、と、
少なくとも前記複数のセルに係る時間差に基づき前記１つまたはそれより多くのセルを選択するための手段と、
を有する、請求項４４に記載の装置。
【請求項５０】
前記複数のセルに係るチャネル状態情報を前記ＵＥから受信するための手段、を更に備え、
前記データ送信を送るための手段は、前記チャネル状態情報に基づき前記１つまたはそれより多くのセルからデータ送信を送るための手段を有する、
請求項４４に記載の装置。
【請求項５１】
ユーザ装置（ＵＥ）から複数のセルに係るタイミング情報を受信し、
前記タイミング情報に基づいて、協調データ送信または非協調データ送信を含むデータ送信を決め、
前記データ送信の一部として、前記複数のセルにおける１またはそれより多くのセルからデータを送る、
ために構成された少なくとも１つのプロセッサを備える、無線通信のための装置。
【請求項５２】
前記少なくとも１つのプロセッサは、
前記タイミング情報に基づいて、１つまたはそれより多くのセルが前記データ送信に関与することを決める、
ために構成される、請求項５１に記載の装置。
【請求項５３】
前記少なくとも１つのプロセッサは、
前記タイミング情報に基づいて前記ＵＥのための協調送信モードを決める、
ために構成される、請求項５１に記載の装置。
【請求項５４】
前記協調送信モードは、前記複数のセルの中のセル群による、ジョイントトランスミッション、協調ビームフォーミング、または、協調サイレンシングを含む、請求項５３に記載の装置。
【請求項５５】
前記少なくとも１つのプロセッサは、
前記タイミング情報に基づいて、前記複数のセルの各々の前記ＵＥでの受信時刻がタイミングウインドウの中にはいるかどうかを決め、
前記タイミングウインドウの中に受信時刻をもつ前記全てのセル群から前記１つまたはそれより多くのセルを選択する、
ために構成される、請求項５１に記載の装置。
【請求項５６】
前記少なくとも１つのプロセッサは、
前記タイミング情報から、前記複数のセルの各々に係る時間差を得て、ここで、各セルに係る前記時間差は、当該セルの前記ＵＥでの受信時刻と基準時刻とに基づいて決められる、
前記複数のセルに係る時間差に少なくとも基づいて前記１つまたはそれより多くのセルを選択する、
ために構成される、請求項５１に記載の装置。
【請求項５７】
前記少なくとも１つのプロセッサは、
前記複数のセルに係るチャネル状態情報を前記ＵＥから受信し、
前記チャネル状態情報に基づき前記１つまたはそれより多くのセルからデータ送信を送る、
ために構成される、請求項５１に記載の装置。
【請求項５８】
ユーザ装置（ＵＥ）から複数のセルに係るタイミング情報を受信するように、少なくとも１つのコンピュータを動作させるコードと、
前記タイミング情報に基づいて、協調データ送信または非協調データ送信を含むデータ送信を決めるように、前記少なくとも１つのコンピュータを動作させるコードと、
前記タイミング情報に基づき、１つまたはそれより多くのセルが前記データ送信に関与することを決めるように、前記少なくとも１つのコンピュータを動作させるコードと、
前記データ送信の一部として、前記１またはそれより多くのセルから前記ＵＥにデータを送るように、前記少なくとも１つのコンピュータを動作させるコードと、
を有する非一時的なコンピュータ読み出し可能媒体
を備えるコンピュータプログラム製品。
【発明の詳細な説明】
【米国特許法第１１９条の下での優先権の主張】
【０００１】
本出願は、本願の出願人に譲渡され、引用により本願に組み入れられる、２００９年１０月１３日に出願された”TIMING REPORT FOR COORDINATED MULTI POINT TRANSMISSION”を名称とする米国仮特許出願第61/251,225に優先権を主張する。
【技術分野】
【０００２】
本開示は、一般的に、通信に関係し、より具体的には、無線通信ネットワークにおけるデータ送信を容易にする技術に関する。
【背景技術】
【０００３】
無線通信ネットワークは、音声、画像、パケットデータ、メッセージ通信（messaging）、放送、等のような様々な通信コンテンツを提供するために広く使用される。これらの無線ネットワークは、利用可能なネットワークリソースを共用することにより複数のユーザをサポートすることが可能な多元接続ネットワークでありえる。そのような多元接続ネットワークの事例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＭＤＭＡ）ネットワーク、および単一キャリアＦＤＭＡ（ＳＣ−ＦＤＭＡ）ネットワークがある。
【０００４】
無線通信ネットワークは、いくつかのユーザ装置（ＵＥ）のための通信をサポートすることができるいくつかの基地局をもってもよい。ＵＥは、複数のセル（cell）の範囲に存在する。ここで「セル（cell）」という用語は、カバーする範囲にサービスを提供する基地局および／または基地局サブシステムの「サービス範囲（coverage area）」のことをいう。複数のセル群の１つまたはそれより多くが、ＵＥにサービスを提供するために選択され得る。
【発明の概要】
【０００５】
下りリンクのデータ送信に関連して、タイミング情報を報知するための技術が開示される。ＵＥは、ＵＥへのデータ送信のために利用可能な複数のセルから信号を受けることができる。複数のセルは、ＵＥへの異なる伝達遅れをもつ。ＵＥは、受信された信号に基づき、複数のセルのためにタイミング情報を決定する。１つの特徴として、ＵＥは、ＵＥのためにサービスを提供しているセルを含む、複数のセル群の中の１またはそれより多くのセルにタイミング情報を報知することができる。タイミング情報に基づき、協調（coordinated）、または、非協調（non-coordinated）の送信が決定され、少なくとも１つのセルがデータ送信に関与するよう選択される。協調送信モード（即ち、あるタイプの協調送信）が、タイミング情報に基づき、ＵＥのために選択されてよい。協調送信モードは、例えば、複数セルから、ジョイントトランスミッション（joint transmission：共同データ送信）、協調ビームフォーミング（coordinated beamforming：協調指向性形成）、協調サイレンシング（coordinated silencing）を含む。
【０００６】
１つの特徴として、ＵＥは、ＵＥへのデータ送信に利用可能な複数のセルから信号を受ける。ＵＥは、受信する信号に基づき複数のセルのためのタイミング情報を決め、データ送信を容易にするために、前記複数のセルのためのタイミングレポート（timing report：タイミング報知）の中でタイミング情報を送る。タイミング情報は、ＵＥでの各セルの受信時間を伝えるもので、この中に記載される様々な方法で決定され、与えられ得る。ＵＥは、複数のセルのなかの少なくとも１つのセルからのデータ送信を受ける。前記少なくとも１つのセルは、少なくとも部分的に、タイミング情報に基づき決められ得る。例えば、少なくとも１つのセルは、各々、ＵＥでのタイミングウインドウ（timing window：時間軸上の窓）の中に受信時間を持つ。タイミングウインドウの長さは、下りリンク送信の巡回プレフィックス（cyclic prefix）により決められ得る。タイミングウインドウの使用は、シンボル間干渉（inter-symbol interference (ISI)）を軽減し、選択されたセル（複数のセル）からの下りリンク送信（複数の送信）の良好な性能を確保することができる。ＵＥは、複数のセルの全て、または、いくつかのためのチャネル状態情報（channel state information）を報知してもよい。このとき、データ送信は、チャネル状態情報に基づき、少なくとも１つのセルによって送られる。本開示の様々な特徴や態様は、以下、更に詳細に記載される。
【図面の簡単な説明】
【０００７】
【図１】図１は、無線通信ネットワークを示す。
【図２】図２は、複数のセルからＵＥへのデータ送信を示す。
【図３】図３は、ＵＥで受信された、複数セルからの送信を示す。
【図４】図４は、複数セルごとのチャネルインパルス応答（channel impulse responses (CIRs)）の例を示す。
【図５】図５は、ＵＥのブロック図を示す。
【図６】図６は、ＣＩＲ推定器のブロック図を示す。
【図７】図７は、スケジューリングモジュールのブロック図を示す。
【図８】図８は、ＵＥによるタイミング情報の報知のためのプロセスを示す。
【図９】図９は、ＵＥからのタイミング情報を受けるためのプロセスを示す。
【図１０】図１０は、基地局とＵＥのブロック図を示す。
【詳細な説明】
【０００８】
この中に記載される技術は、ＣＤＭＡ、ＴＤＭＡ、ＦＤＭＡ、ＯＦＤＭＡ、ＳＣ−ＦＤＭＡ、および、その他のネットワークのような様々な無線通信ネットワークのために使用され得る。「ネットワーク（network）」および「システム（system）」という用語は、しばしば、互換的に使われる。ＣＤＭＡネットワークは、ユニバーサル・テレストリアル・無線接続（Universal Terrestrial Radio Access (UTRA)）、cdma2000、等の無線技術を実施する。ＵＴＲＡは、ワイドバンドＣＤＭＡ（Wideband CDMA (WCDMA)）やＣＤＭＡの他の変形態様を含む。ｃｄｍａ２０００は、IS-2000、IS-95およびIS-856の規格をカバーする。ＴＤＭＡネットワークは、ＧＳＭ（登録商標）（Global System for Mobile Communications）のような無線技術を実施する。ＯＦＤＭＡネットワークは、エボルブド−ＵＴＲＡ（Evolved UTRA (E-UTRA)）、ウルトラモバイルブロードバンド（Ultra Mobile Broadband (UMB)）、IEEE 802.11 (Wi-Fi)、IEEE 802.16 (WiMAX)、IEEE 802.20、フラッシュ−ＯＦＤＭ（Flash-OFDM（登録商標））、等の無線技術を実施する。ＵＴＲＡおよびＥ−ＵＴＲＡは、ユニバーサル・モバイルテレコミュニケーション・システム（Universal Mobile Telecommunication System (UMTS)）の一部をなす。
【０００９】
３ＧＰＰ・ロングタームエボリューション（3GPP Long Term Evolution (LTE)）とＬＴＥ−アドバンスト（LTE-Advanced (LTE-A)）は、下りリンクにＯＦＤＭＡ、上りリンクにＳＣ−ＦＤＭＡを利用する、Ｅ−ＵＴＲＡを用いるＵＭＴＳの新版である。ＵＴＲＡ、Ｅ−ＵＴＲＡ、ＵＭＴＳ、ＬＴＥ、ＬＴＥ−Ａ、および、ＧＳＭは、「第三世代移動体通信標準化プロジェクト（3rd Generation Partnership Project (3GPP)）の名称の組織から発行された文献に記載される。ｃｄｍａ２０００とＵＭＢは、「第三世代移動体通信標準化プロジェクト２（3rd Generation Partnership Project 2(3GPP2)）の名称の組織から発行された文献に記載される。この中に記載される技術は上述の無線ネット―ワーク・無線通信技術、および、他の無線ネット―ワーク・無線通信技術のために使用され得る。明瞭化のために、当該技術はＬＴＥに関するものとして以下に記載され、ＬＴＥの用語法が以下の記載の多くにおいて使われる。
【００１０】
図１は、ＬＴＥネットワークまたはいくつかの他の無線ネットワークであることのできる、無線通信ネットワーク１００を示す。無線ネットワーク１００は、いくつかのエボルブド・ノードＢ（evolved Node B （ｅＮＢ））１１０、ユーザ装置（ＵＥ）１２０、および、その他のネットワーク構成体を有する。単純化のために、３つのｅＮＢ１１０ａ、１１０ｂ、１１０ｃと１つのネットワークコントローラ１３０のみが、図１に示される。ｅＮＢは、ＵＥと通信を行う構成体であり、基地局、ノードＢ（Node B）、アクセスポイント、等と呼ばれる。各ｅＮＢ１１０は、特定の地理的領域１０２のための通信サービス範囲（coverage）を提供する。ネットワーク容量を改善するため、ｅＮＢのサービス領域全体は、複数のより小さな領域、例えば３つの小領域１０４ａ、１０４ｂ、１０４ｃ、に分割される。
【００１１】
複数の小領域の各々は、それぞれのｅＮＢサブシステムよるサービスを受ける。３ＧＰＰにおいて、「セル（cell）」の用語は、サービス領域を担うｅＮＢおよび／またはｅＮＢサブシステムの最も小さいサービス領域のことをいう。３ＧＰＰ２においては、「セクタ（sector）」または「セル・セクタ（cell-sector）」の用語は、サービス領域を担う基地局および／または基地局サブシステムの最も小さなサービス領域のことをいう。明瞭化のために、セルについての３ＧＰＰの考え方が以下の記載で用いられる。一般に、１つのｅＮｂは１つまたは複数（例えば３つ）のセルをサポートし、１またはそれより多くのｅＮＢが特定の位置のＵＥ１２０へのデータ送信をサポートするために協調して働き得る。
【００１２】
ネットワークコントローラ１３０は１組のｅＮＢ群に接続され、これらのｅＮＢのための調整や制御を提供する。ネットワークコントローラ１３０は、モバイル・マネージメント・エンティティ（Mobile Management Entity (MME)）および／または他のネットワーク構成体をもち得る。
【００１３】
複数のＵＥ１２０は、無線ネットワークの中にわたって分散され、各ＵＥは固定であっても移動可能であってもよい。単純化のため、図１は、各セルに１つのみのＵＥ１２０を示す。ＵＥは、モバイルステーション、端末、アクセス端末、加入者ユニット（subscriber unit）、ステーション（station）、等と呼ばれる。ＵＥは、セルラ電話（cellular phone）、パーソナルデジタルアシスタンス（personal digital assistant (PDA)）、無線モデム、無線通信デバイス、携帯デバイス（handheld device）、ラップトップコンピュータ、コードレス電話、wireless local loop (WLL)、スマートホン（smart phone）、ネットブック（netbook）、スマートブック（smartbook）、等であってよい。ＵＥは、下りリンクと上りリンクを介してｅＮＢと通信を行う。下りリンク（または順方向リンク）はｅＮＢからＵＥへの通信リンクのことをいい、上りリンク（または逆方向リンク）はＵＥからｅＮＢへの通信リンクのことをいう。
【００１４】
無線ネットワーク１００は、下りリンク上で、ＵＥ１２０への、協調データ送信（coordinated data transmission）または非協調データ送信（non-coordinated data transmission）をサポートする。協調送信（この中では、多地点協調送信（coordinated multipoint (CoMP) transmission）や略して「ＣｏＭＰ」とも呼ばれる）では、複数のセルが、同じ「時間−周波数」リソース上で１またはそれより多くのターゲットＵＥにデータを送信するべく協調し、その結果、当該複数のセルからの信号はターゲットＵＥで結合され、セル間干渉がターゲットＵＥで軽減され得る。この中で使われるように、以下の送信モードが、協調送信において、１またはそれより多くのｅＮＢにより提供される。
【００１５】
１．ジョイントプロセッシング
ターゲットＵＥでの「ビームフォーミングによる利得（beamforming gain）」、および／または、１つまたはそれより多くの干渉を受けているＵＥでの干渉軽減を達成するために、プリコーディングベクトル（precoding vectors）を用いて、複数のセルから１つまたはそれより多くのＵＥに、選択される複数の異なるセルでデータの多地点送信を行うこと。
【００１６】
２．協調ビームフォーミング
ターゲットＵＥでの「ビームフォーミングによる利得（beamforming gain）」と、１つまたはそれより多くの近隣セルのサービスを受け、干渉を受けている１またはそれより多くのＵＥへの干渉軽減と、の間の妥協によってセルのために選択される１またはそれより多くのプリコーディングベクトル（precoding vectors）を用い、１つのセルから１つのターゲットＵＥにデータの１地点送信を行うこと。
【００１７】
３．協調サイレンシング
ある「時間−周波数」リソース上で、１つまたはそれより多くのセルからターゲットＵＥへのデータの転送であって、当該ターゲットＵＥに干渉を及ぼすことを避けるために、１またはそれより多くの他のセルは、当該「時間−周波数」リソース上で送信を行わないこと。
【００１８】
ＣｏＭＰは、上に示されない他の送信モードを有してもよい。各ＣｏＭＰ送信モードは、ＵＥにデータを送信する少なくとも１つのセルと、ＵＥへの干渉を軽減するために動作する可能性として少なくとも１つの他のセルとからなる、複数のセルを含んでよい。
【００１９】
複数のセルは、ジョイントプロセッシングのために、あるＵＥにデータを送信してもよいが、単一のセルが、協調ビームフォーミングでデータをＵＥに送ることもできる。しかし、ジョイントプロセッシングと協調ビームフォーミングの両方のために、ＵＥにデータを送信するために、１つまたはそれより多くのセルにより使われるプリコーディングベクトルが、セル間干渉を軽減するために、当該ＵＥのチャネルおよび他のＵＥのチャネルを考慮することによって選択されてもよい。例えば、近隣のセルは、プリコーディングベクトルに基づいてそのＵＥの一つにデータを送信することができるが、このプリコーディングベクトルは、干渉を軽減するため、その特定のＵＥのチャネルに従って選択される。各ＣｏＭＰ送信モードのために、指定された構成体（例えば、サービスを行っているセル１１０、ネットワークコントローラ１３０、等）は、どのセルが関与しているかを決め、関与する全てのセルに、ＵＥ宛のデータおよび／または他の情報（例えば、スケジューリング情報、チャネル状態情報、プリコーディング情報、等）を送ることにより、協調通信を容易にし得る。
【００２０】
図２は、複数のセルから１つのＵＥへのＣｏＭＰ送信の例を示す。ＵＥは、ＣｏＭＰ送信に関与し得る全てのセル含む、「測定の組（measurement set）」を持つ。これらのセルは、同じｅＮＢまたは異なるｅＮＢに属していてよく、チャネル利得／通信路のロス（pathloss）、受信される信号の強度、受信される信号の品質、等に基づいて選択され得る。「測定の組」は、しきい値を超える、チャネル利得、または、受信される信号の強度、または、受信される信号の品質を有したセルを含んでよい。
【００２１】
ＵＥは、「測定の組」におけるセルのためのチャネル状態情報（channel state information (CSI)）を報知する。ＵＥは、マルチポイント送信（ジョイントプロセッシング）またはシングルポイント送信（協調ビームフォーミング）のいずれかのため、「ＣｏＭＰの組」における複数のセルによってサービスを受ける。先に述べたように、「ＣｏＭＰの組」は、ＵＥにデータを送信するセル（または複数のセル）と、ＵＥへの干渉を軽減する試みを行うセルために対応するセルとを含む。「ＣｏＭＰの組」は、「測定の組」における全てまたはいくつかのセルを含み、無線通信ネットワークによって動的に選択され得る。
【００２２】
各セルは、下りリンク上の送信のため、直交周波数分割多重（orthogonal frequency division multiplex (OFDM)）のシンボルを生成する。ＯＦＤＭシンボルは、(1) 送信のために使われるサブキャリアに、データシンボル、制御（コントロール）シンボル、および／または、基準（リファレンス）シンボルをマッピングすること、(2) 送信のために使われないサブキャリアに「ゼロ」の信号値をもった「ゼロ」シンボルをマッピングすること、(3) 有効部（useful portion）のために時間領域のＮ個のサンプル（N time-domain samples）を得るために、全部でＮ個のサブキャリアにマッピングされたＮ個のシンボルに対し、Ｎ点の高速逆フーリエ変換（inverse fast Fourier transform (IFFT)）を行うこと、(4) （Ｎ＋Ｇ）個のサンプルをもつＯＦＤＭシンボルを得るために、前記有効部の後部のＧ個のサンプルをコピーし、前記有効部の前部にこれらＧ個のコピーされたサンプルをもつ巡回プレフィックス（サイクリックプレフィックス（cyclic prefix））をつけること、によって生成される。巡回プレフィックスは、ＩＳＩの原因となり得る周波数選択性フェージング（frequency selective fading）への対策のために使われる。
【００２３】
図２に示されたように、ＵＥへのＣｏＭＰ通信に関与する異なるセルは、ＵＥに対し、異なるチャネル応答や異なる伝達遅延を持つ。従って、当該セル群からの下りリンク送信は、ＵＥで、異なる時間に到達する。異なるセル達の間にはなはだしい遅延のばらつきがある場合、データ送信性能は低下する。
【００２４】
図３は、ＵＥで受信される、図２に示されるＭ個のセルからの下りリンク送信を示す。単純化のため、図３は、ＵＥへの１つのシングル信号路を持つ各セルを示す。一般的に、各セルは任意の数のＵＥへの信号路を持ってよく、各信号路は任意の合成利得（complex gain）と伝達遅延をもち得る。Ｍ個のセルは、あるシンボル期間において、下りリンク上でＭ個のＯＦＤＭシンボルを送信する。ＵＥは、異なる受信時刻で、ＭセルからのＭ個のＯＦＤＭシンボルを受ける。各セルからのＯＦＤＭシンボルの受信時刻は、当該セルからＵＥへの伝送遅延に依存する。ＵＥで受信される信号は、全てのセルから受信される全てのＯＦＤＭシンボルの重ね合わせ（superposition）となる。
【００２５】
ＵＥは、処理のためにＮ個の受け取ったサンプルを選択し、残りの受け取ったサンプルを捨てるために、ＦＦＴウインドウ（FFT window）を使う。ＦＦＴウインドウによって選択されたＮ個の受信されたサンプルは、各ＯＦＤＭシンボルの有効部をつくるＮ個の時間領域サンプルの全てを含む。本例では、ＦＦＴウインドウは、セル１とセルＭについてＮ個の時間領域サンプルを含むが、セル２についてはどのサンプルも含まない。特に、セル２の場合、ＦＦＴウインドウは、前のＯＦＤＭシンボルからのいくつかの時間領域サンプル３１２を含む。サンプル３１２は、性能を低下させるシンボル間干渉として働く。
【００２６】
一般に、シンボル間干渉は、(1) 全てのセルからのＯＦＤＭシンボルが、ＵＥで、巡回プレフィックスの中で受信される場合、および、(2) ＦＦＴウインドウが、受信されるＯＦＤＭシンボル各々のＮ個の時間領域サンプルをとらえるように、正しく置かれる場合、に避けられ得る。上記の状況(1)は、ＵＥで最も早く受信されるＯＦＤＭシンボルと最も遅れて受信されるＯＭＤＭシンボルとの間の時間差が巡回プレフィックスの長さよりも小さいことを保証することで果たされる。上記の状況(2)は、ＦＦＴウインドウを適切な時間／サンプル位置に設定することができるタイムトラッキングループ（time tracking loop (TTL)）を使って達成され得る。
【００２７】
図３は、Ｍ個のセルのチャネルプロファイル（channel profile）の例を示す。チャネルプロファイルは、異なる遅延でのいくつかのチャネルタップ（チャネル遅延成分（channel taps））をもち得る。遅延時間 ｍのチャネルタップは、ｈｍの合成利得とｍの遅延時間を持つ信号路に対応する。遅延の広がり（delay spread）とは、ＵＥで最初に到達する経路（first arriving path (FAP)）の受信時刻と最後に到達する経路（last arriving path (LAP)）の受信時刻との間の差である。遅延の広がり、シンボル間干渉を避けるために、巡回プレフィックスの長さより小さくあるべきである。
【００２８】
ひとつの特徴では、ＵＥは、当該ＵＥへのＣｏＭＰ送信をサポートするために、セルのためのタイミング情報を報知する。タイミング情報は、ＵＥへのＣｏＭＰ送信に関与することができる各セルの受信時間（例えば、基準時刻に相対的に）を搬送する。タイミング情報は、以下に記載されるように、ＵＥへのＣｏＭＰ送信に関与するセルを選択するため、および／または、各セルのために送信モードを選択するために用いられ得る。
【００２９】
一般に、関与セルの選択の観点とＵＥへの協調送信モードを決めるためとの両方で、ＵＥは、ＣｏＭＰ送信をサポートするため、チャネル状態情報（channel state information (CSI)）とタイミング情報とを報知する。チャネル状態情報は、異なる複数のセルに係るチャネル応答を示し、一方、タイミング情報は、当該異なる複数のセルにより送信される信号の、ＵＥでの受信時刻を示す。
【００３０】
ＵＥは、明示的なチャネルフィードバック（また、明示フィードバック（explicit feedback）とも呼ばれる）、または、黙示的なチャネルフィードバック（また、黙示フィードバック（implicit feedback）とも呼ばれる）に基づきＣＳＩを報知する。明示フィードバックとして、ＵＥは、送信器または受信器の空間処理を推定することなく、ＵＥによって観測された状態での、異なる複数セルに関するチャネル応答を示すＣＳＩを報知する。例えば、明示フィードバックに係るＣＳＩは、(1) 複数セルに対応するチャネル応答を示すチャネルマトリックス、または、(2) チャネルマトリックスの特異値分解（singular value decomposition）を行うことによって得られる固有ベクトル（eigenvectors）をもつ。黙示フィードバックとして、ＵＥは、異なる複数のセルに関するチャネル応答に基づき決められ、可能性として、なんらかの送信器および／または受信器の空間処理を推定するＣＳＩを報知する。例えば、黙示フィードバックのためのＣＳＩは、異なる複数のセルに係るチャネル応答や受信信号品質に基づいて決められるプリコーディングマトリックス情報（precoding matrix indicator (PMI)）、ランク（チャネル状態行列の階数）情報（rank indicator (RI)）、および／または、チャネル品質情報（channel quality indicator (CQI)）をもつ。
【００３１】
ＵＥは、様々な方法で、「測定の組」の中の複数のセルのためのタイミング情報を決める。１つの設計例では、タイミング情報は、基準時刻に対するＵＥでの各セルの受信時刻をもつ。１つの設計例では、各セルの受信時刻は、当該セルに係るチャネルインパルス応答（channel impulse response (CIR)）に基づき決められる。ＣＩＲは、以下に記載するように推定される。１つの設計例では、基準時刻は、基準セル（reference cell）に係るＣＩＲ、または、１組をなす複数のセルに係る合成ＣＩＲ（composite CIR）、または、基準ソースのタイミング、に基づき決められる。基準セルは、ＵＥのためにサービスを提供しているセル、ＵＥにより受信される最も強いセル、ＵＥに最も早く到達するセル、等であってよい。
【００３２】
図４は、１つのＵＥの「測定の組」の中のＭ個のセルに係るＣＩＲの例を示す。セル１はＣＩＲ４１０をもち、セル２はＣＩＲ４２０をもち、以下同様で、セルＭはＣＩＲ４３０をもつ。各セルに係るＣＩＲは、異なる遅延でのいくつかのチャネルタップ（チャネル遅延成分）を含み、以下に記載のように決められる。遅延 ｍでのチャネルタップは、合成利得 ｈｍとの伝達遅延 ｍを持つ信号路に対応する。異なるセルは、各セルの位置や無線環境に依存して、異なるＣＩＲをもつ。合成ＣＩＲ４４０は、Ｍ個のセル全てに係るＣＩＲ４１０から４３０までを重ねたものであり、ＣＩＲ４１０から４３０までの中の全てのチャネルタップを含む。
【００３３】
タイミング情報に係る基準時刻は、様々な方法で決められ得る。一つの設計例では、基準時刻は、合成ＣＩＲにおける最初に到達したパス（経路）４４２の時刻に対応する。基準時刻は、また、合成ＣＩＲにおける最も強いパス（経路）に対応してもよい。他の例として、合成ＣＩＲの「集まりと大きさ（mass/gravity）」の中心（矢印４４６で示す）に対応してもよい。集まり（mass）の中心は以下のように決められる。
【数１】
2013507889.tif 000003
【００３４】
ここで、ｈｉは合成利得であり、ｄｉはｉ番目のチャネルタップの遅延時間であり、ｄｃは集まり（mass）の中心である。
【００３５】
他の設計例では、基準時刻は、最初に到達する経路、または、最も強い経路、または、基準セルに係るＣＩＲの集まり（mass）の中心に対応してもよい。基準セルは、サービスを提供するセル、または、最も強いセル、または、ＵＥに最も早く到達するセルであってよい。更に他の設計例では、基準時刻は、ＵＥに最も早く到達するセルの受信時刻に対応してもよい。更に他の設計例では、基準時刻は、基準ソースからの送信の受信時刻に対応してもよい。基準ソースは、サテライト（satellite）、セル、または、基地局であってもよい。更に他の設計例では、基準時刻は、ＵＥでの何らかの送信時刻または受信時刻に対応してもよい。また、基準時刻は、他の方法によって決めることもできる。
【００３６】
各セルの受信時刻は、様々な方法で決められる。１つの設計例では、あるセルの受信時刻は、当該セルに係るＣＩＲにおける最初に到達した経路（例えば、図４の経路４１２）に対応する。他の設計例では、受信時刻は、当該セルに係るＣＩＲにおける最も強い経路（例えば、経路４１４）に対応してもよい。更に他の設計例では、受信時刻は、当該セルに係るＣＩＲの集まり（mass）の中心（例えば、矢印４１６で示す）に対応してもよい。また、各セルの受信時刻は、他の方法で決めることもできる。
【００３７】
１つの設計例では、各セルのタイミング情報は、ＵＥでのセルの受信時刻と基準時刻との間の時間差を含む。各セルに係る時間差は、以下のように決められ得る。
【数２】
2013507889.tif 000004
【００３８】
ここで、
ＴＲＸ，Ｍは、ＵＥでのセルｍの受信時刻；
ＴＲＥＦは、基準時刻；
ΔＴｍは、セルｍに係る時間差；
である。
【００３９】
各セルの時間差は、セルの受信時刻が基準時刻の前か後かどうかにより、正の値にも負の値にもなり得る。基準時刻が最も早く到達するセルの受信時刻である場合、各セルの時間差は正の値になる。どの場合においても、各セルに係る時間差は、十分なビット数に量子化され得る。ＵＥによって報知されたタイミング情報は、「計測の組」における各セルに係る「量子化された時間差」をもち得る。
【００４０】
他の設計例では、各セルのためのタイミング情報は、当該セルの受信時刻がＵＥのタイミングウインドウ（時間の窓）の中にあるかどうかを示す情報をもち得る。タイミングウインドウは、巡回プレフィックス、または、巡回プレフィックスの一部に等しい幅をもち得る。各セルの受信時刻は、上述の設計例のいずれかに基づき決められる。タイミングウインドウの中にはいる受信時刻をもつ全てのセルが特定される。これは、様々な方法で実行される。例えば、全てのセルの受信時刻が、最も早いものから最も遅いものまで並べられてもよい。タイミングウインドウは、(1) 可能な限り多くのセル群、または、(2) 総エネルギーが最も大きくなるセル群、または、(3) 他の基準に基づき決められるセル群、を取り込むように設定される。そのとき、受信時刻がタイミングウインドウの中にある全てのセルは、ＵＥで、巡回プレフィックスの中にはいることになる。
【００４１】
ひとつの設計例では、ビットマップは、タイミング情報を与えるために使われ、「測定の組」の中の各セルについて１ビットをもつ。各ビットは、(1) セルの受信時刻がタイミングウインドウの中にある（したがって、巡回プレフィックスの中にある）ことを示すために第１の値（例えば、“１”）、または、(2) セルの受信時刻がタイミングウインドウの外にあることを示す第２の値（例えば、“０”）、に設定され得る。ＵＥは、タイミング情報とともに、または、タイミング報知の一部として、ビットマップを持つことができる。
【００４２】
また、ＵＥによって報知されたタイミング情報は、異なるセルから下りリンク送信のＵＥでの受信時刻を示す他の情報を含んでもよい。
【００４３】
ＵＥは、様々な方法で、「測定の組」の中のセル達のタイミング情報を報知する。１つの設計例では、ＵＥは、ＵＥに対して設定され得る「報知間隔」で周期的にタイミング情報を報告してよい。他の設計例では、ＵＥは、例えば、サービスを提供するセルからの要求により、または、ＵＥにより起動されたとき、タイミング情報を報知してもよい。１つの設計例では、ＵＥは、例えば、共同フィードバックリポート（joint feedback report）において、ＣＳＩとともにタイミング情報を報知してもよい。他の設計例では、ＵＥは、例えば、個別のフィードバックレポート（separate feedback report）において、ＣＳＩとは独立に、タイミング情報を報知してもよい。ひとつの設計例では、ＵＥは、サービスを行うセルにタイミング情報を報知し、そのセルは「測定の組」の中の他のセルにタイミング情報を転送してもよい。他の設計例では、ＵＥは、各セルに係るタイミング情報を、当該セルに直接に報知してもよい。また、ＵＥは、他の方法で、タイミング情報を報知してもよい。
【００４４】
ひとつの設計例において、指定されたネットワーク構成体は、「測定の組」の中の複数のセルに係るタイミング情報とＣＳＩを受け、ＵＥへのデータ送信を調整することができる。当該「指定されたネットワーク構成体」は、サービスを行うセル、または、ネットワークコントローラ（例えば、図１のネットワークコントローラ１３０）、または、何らかの他の構成体であってよい。
【００４５】
１つの設計例において、タイミング情報は、ＵＥへのジョイントプロセッシングを使うＣｏＭＰ送信に関与し得るセルを選択するために用いられる。ジョイントプロセッシングに関与する全てのセルは、ＵＥに下りリンク送信を行う。これら複数のセルからの下りリンク送信の受信時刻は、シンボル間干渉への対策のために、ＵＥで、巡回プレフィックスの中にはいっている必要がある。一つの設計例では、タイミングウインドウの中にはいる受信時刻をもつ複数のセルが、ジョイントプロセッシングを用いるＵＥへのＣｏＭＰ送信に関与し得る。これらのセルは、「時間差」、「ビットマップ」、ＵＥによって報知される何らかの他の情報に基づき特定される。タイミングウインドウは、巡回プレフィックス、または、巡回プレフィックスの一部に等しい幅を持つ。巡回プレフィックスの長さより小さいタイミングウインドウの使用は、選択される複数のセルからの全てもしくは殆どの信号経路が、ＵＥで巡回プレフィックスの中にはいるであろうことを保証するため、いくらかの余裕を与える。タイミングウインドウの削減量は、複数のセルに係るＣＩＲのばらつきの程度に依存し得る。特に、次第に小さくなっていくタイミングウインドウは、次第にばらつきが大きくなっていくＣＩＲのために使われることができ、その逆でもよい。ジョイントプロセッシングを使うＣｏＭＰ送信に係るＵＥでのシンボル間干渉は、タイミングウインドウにはいる受信時刻をもつセルを選択することにより軽減される。
【００４６】
ひとつの設計例では、ＵＥでタイミングウインドウに入る受信時刻を持つセルは、ＵＥのための協調ビームフォーミングまたは協調サイレンシングに関与するために選択され得る。また、タイミングウインドウの中の受信時刻をもつセル達は、他の方法で、ＵＥへのデータ送信のために協調し得る。
【００４７】
ひとつの設計例では、ＵＥでタイミングウインドウの外の受信時刻をもつセルは、当該ＵＥのためのジョイントプロセッシングに関与しない。しかし、これらのセルは、当該ＵＥのための協調ビームフォーミングまたは協調サイレンシングに関与してもよい。協調ビームフォーミングでは、サービスを行わないセルは、当該ＵＥから離れた方向に送信を向け、それによってセル間干渉を軽減できるように決められるプリコーディング情報を使って、他のＵＥにデータ送信を行うことができる。協調サイレンシングでは、サービスを行うセルがＵＥにデータ送信をしている「時間−周波数」領域のリソース上で、サービスを行わないセルは送信を控える。
【００４８】
協調ビームフォーミングと協調サイレンシングの両方に関して、サービスを行わないセルの受信時間がＵＥでの巡回プレフィックスの外にある場合、ＵＥは、ある程度のセル間干渉を観測する（例えば、図３のサンプル３１２に対応）。このセル間干渉は、サービスを行わないセルがＵＥのための協調ビームフォーミングまたは協調サイレンシングに関与しない場合と同程度である。従って、ＵＥのための協調ビームフォーミングまたは協調サイレンシングに関与する、タイミングウインドウの外に受信時刻をもつセル達による僅かな性能低下はあり得る。
【００４９】
上述のように、ＵＥでのセルの受信時刻は、当該セルに係るＣＩＲに基づいて決められる。ＣＩＲは、セルにより送信される基準信号、同期信号、および／または、何らかの他の信号に基づき推定される。「基準信号」は、送信器と受信器とでは経験的（a priori）に知られる信号であり、「パイロット（pilot）」とも呼ばれる。ＬＴＥでは、各セルは、チャネル推定のためにＵＥにより使われるセル固有の基準信号（cell-specific reference signal (CRS)）を送信する。ＣＳＲは、例えば、セル識別子（cell identity (ID)）に基づき生成される、セルに固有である基準信号である。ＵＥは、各セルに係るチャネル応答（例えば、ＣＩＲ）を、当該セルからのＣＲＳに基づき推定する。
【００５０】
図５は、図１におけるＵＥの一つであるＵＥ１２０ｘのブロック図を示す。ＵＥ１２０ｘの中で、アンテナ５１２は複数のセルからの下りリンク信号を受け、受信される信号を復調器５１４に与える。復調器５１４は、受信される信号上で復調を行い、受信シンボルを出す。セル検出器５１６は、例えば、各セルにより送信されるプライマリ同期信号（primary synchronization signal (PSS)）とセカンダリ同期信号（secondary synchronization signal (SSS)）に基づき、十分な強度のセルを検出するため、受信シンボルを処理する。チャネル推定器５１８は、検出されるセルに係るチャネル推定（例えば、チャネルインパルス応答推定（channel impulse response estimates））を得るために、受信シンボルを処理する。タイミング決定部５２０は、対応のチャネル推定に基づき、検出されたセルに係るタイミング情報を決める。タイミング情報は、上述の任意の設計例を用いて決められ得る。
【００５１】
図６は、図５のチャネル推定器５１８のために用いられ得るＣＩＲ推定器６００の設計例のブロック図である。ＣＩＲ推定器６００は、ＣＲＳを送信するために使われるサブキャリア（または、パイロットデータのサブキャリア（pilot subcarriers））から受信される基準シンボルを得る。ＬＴＥでは、各セルは、１つまたはそれより多くの送信アンテナからＣＲＳを送信し、そして、各送信アンテナのためのパイロットサブキャリアは、１つのシンボル期間において、６個のサブキャリア離れて間隔があけられ、各シンボル期間の間で３つのサブキャリアごとに互い違いに置かれる。明確化のため、１つのセルｍに係るＣＩＲ推定を得るために処理を行うことが以下に記載される。当該処理は、「測定の組」の中の各セルに係るＣＩＲ推定を得るために繰り返される。
【００５２】
ＣＩＲ推定器６００の中で、逆スクランブラ（descrambler）６１２は、パイロットサブキャリアに係るチャネル利得を得るために、セルｍのスクランブルシーケンス（scrambling sequence）に基づき、受信する基準シンボル上で変調を解く。ユニット６１４は、逆スクランブラ６１２からチャネル利得を受け、チャネル利得とゼロとのＬ個の並びを得るために、十分な数のゼロを付加する。ここで、Ｌは、１つのシンボル期間における１個の送信アンテナのためのパイロットサブキャリアの数と等しいか、または、それより大きくなる、最も小さい２のべき乗である。ユニット６１６は、Ｌ個のチャネルタップ（チャネル遅延成分）をもつ初回ＣＩＲ推定を得るために、「チャネルゲインとゼロ」のＬ個の並びの上でＬ点ＩＦＦＴを実行する。ユニット６１８は、初回ＣＩＲ推定を２倍に拡張し、パイロットサブキャリアに係るサブキャリアオフセットに基いて決められる遅延期間（位相ランプ（phase ramp））を適用し、２Ｌ個のチャネルタップ（遅延成分）をもつ拡張ＣＩＲ推定を出す。
【００５３】
ＬＴＥでは、合計２０４８個のサブキャリアが、２０ＭＨｚのシステム帯域幅で利用可能である。しかし、１３２０個のサブキャリアだけが送信に使われ、残りのサブキャリアは「ガードバンド（guard band）」としての役割をもつ。合計２２０個のパイロットサブキャリアは、前記１３２０個の送信用に使用されるサブキャリアの中に存在する。合計２２０個のチャネル利得が、１つのシンボル期間における２２０個のパイロットサブキャリアについて得られ、３６個のゼロを付加することにより２５６の長さに拡張される。２５６のチャネルタップ（遅延成分）を持つ初回ＣＩＲ推定を得るために、２５６点のＩＦＦＴが、「チャネル利得とゼロ」の３５６個の並びの上で実行される。ユニット６１８は、６番目のサブキャリアごとに受信される基準シンボルに基づいて３つのサブキャリア毎のチャネル利得を得るために、内挿を行う。ユニット６１８は、異なるシンブル期間においてチドリ状に配置されるパイロットサブキャリア上を送信されるＣＲＳを得るために、時間領域でチャネルタップ（遅延成分）上に位相ランプ（遅延期間）を適用する。
【００５４】
フィルタ６２０は、ＣＲＳが送信される各シンボル期間において、ユニット６１８から拡張ＣＩＲ推定を受け、複数のシンボル期間を通じて、拡張ＣＩＲ推定にフィルタをかける。フィルタ６２０は、ＣＲＳが送信される各シンボル期間においてセルｍに係る２ＬタップのＣＩＲ推定を与え得る。
【００５５】
図６は、受信される基準シンボルに基づいてＣＩＲ推定を引き出す、ある具体的な設計例を示す。他の設計例では、ユニット６１４からのＬ個の並びの「チャネル利得とゼロ」が２Ｌ個の並びの「内挿されたチャネル利得（interpolated channel gains）」を得るために、内挿される。２Ｌ点ＩＦＦＴは、２Ｌ個の並びの「内挿されたチャネル利得」上で実行される。結果、パイロットサブキャリアの周波数シフトに係るデスタッガリング（De-staggering）と補償が、時間領域において（図６に示されるように）、または、周波数領域において、行われ得る。
【００５６】
ＣＩＲ推定は、他の方法でも得られる。他の設計例では、ＣＩＲ推定は、ＵＥで、受信される信号（例えば、受信される基準信号、または、受信される同期信号）を、異なる「時間のずれ」で受信される信号に係る既知のシーケンスに対して相関づけることにより得られる。各「時間のずれ」での相関の結果は、当該時間差に対応する遅延でのチャネルタップ（遅延成分）に対応する。
【００５７】
図７は、ＵＥへのデータ転送を容易にするためにタイミング情報を用いるスケジューリングモジュールの設計例のブロック図を示す。モジュール７００は、ｅＮＢ／基地局、または、ある他の構成体の部分でよい。モジュール７００の中で、セル選択ユニット７１２は、ＵＥから複数のセルに係るタイミング情報や可能な他の情報（例えば、受信される信号強度情報）を受け、タイミング情報に基づいてＵＥにデータを送信するために、少なくとも１つのセルを選択できる。スケジューラ７１４は、選択されたセル（または複数のセル）によるデータ送信のためＵＥのスケジュール化を行う。例えば、スケジューラ７１４は、ＣｏＭＰのために、ＵＥを、ジョイントプロセッシングのためにスケジュールするか、協調ビームフォーミングのためにスケジュールするかを決める。
【００５８】
図８は、データ送信を容易にするためにタイミング情報を報知することに係るプロセス８００の設計例を示す。プロセス８００は、ＵＥ（この中に記載されるような）によって実行されるか、または、何らかの他の構成体によって実行され得る。ＵＥは、ＵＥへのデータ送信に利用可能な複数のセルから信号を受ける（ブロック８１２）。各セルからの信号は、１つまたはそれより多くの同期信号、１つまたはそれより多くの基準信号、等からなる。１つの設計例では、複数のセルが、ＵＥへの協調送信のために利用可能である。ＵＥは、複数のセルから受信される信号に基づき、複数のセルに係るタイミング情報を決める（ブロック８１４）。タイミング情報は、ＵＥで複数のセルから受信される信号の受信時間を示すものである。
【００５９】
ＵＥは、ＵＥへのデータ転送に協調して働くために使う複数のセルのためのタイミング情報を報知する（ブロック８１６）。ＵＥは、ＵＥへのデータ送信への使用のために、当該複数のセルの全て、または、いくつかに係るチャネル状態情報を決め、報知する（ブロック８１８）。例えば、ＵＥは、全てのセル、または、当該ＵＥのタイミングウインドウの中にはいった受信時間に対応する（複数の）セルのみに係るチャネル状態情報を報知する。ＵＥは、上述したように、様々な方法で、複数のセルに係るタイミング情報とチャネル状態情報とを報知し得る。ＵＥは、当該複数のセルの中の少なくとも１つのセルからデータ送信を受けることができる（ブロック８２０）。当該１またはそれより多くのセルは、少なくとも部分的に、前記複数のセルに係るタイミング情報に基づき決められる。データ送信は、（ＵＥによって報知されている場合）チャネル状態情報に基づき、前記少なくとも１つのセルにより送られ得る。
【００６０】
ブロック８１４の１つの設計例において、ＵＥは、複数のセルの各々のＵＥでの受信時刻を決める。各セルの受信時間は、最初に到着する経路、または最も強度が強い経路、またはセルに係るチャネルインパルス応答の集まりの中心（例えば、図４に示されたように）に基づき決められる。ＵＥは、複数のセルのＵＥでの受信時刻に基づき、タイミング情報を決める。１つの設計例では、タイミング情報は、各セルの受信時刻がＵＥでタイミングウインドウの中にあるかどうかを示す。タイミングウインドウは、巡回プレフィックスに等しいか、巡回プレフィックスの一部分（fraction）に等しい幅を持ってよい。タイミング情報は、様々なフォーマットで与えられることができ、各セルの時間差、全てのセルに係るビットマップ、等をもってもよい。
【００６１】
一つの具体的な設計例では、ＵＥは、例えば、最初に到達した経路、最も強い経路、または、(1) 指定されたセルのチャネルインパルス応答、または、(2) 複数のセルの中の少なくとも２つのセルに係る合成チャネルインパルス応答、の集まり（mass）の中心に基づき、基準時刻を決める。当該指定されたセルは、サービスを提供するセル、最も強度が強いセル、最初に到達するセル、等であってよい。ＵＥは、複数のセルの各々のＵＥでの受信時刻を決める。次に、ＵＥは、セルの受信時刻と基準時刻に基づき、各セルに係る時間差を決める。ＵＥは、当該複数のセルに係る時間差に基づき、タイミング情報を決める。
【００６２】
１つの設計例では、協調送信または非協調送信は、タイミング情報に基づいて、ＵＥのために選択される。例えば、協調送信は、複数のセルがタイミングウインドウの中に入る受信時刻に対応している場合、ＵＥのために選択され、非協調送信は、１つのセルだけがタイミングウインドウの中に入る受信時刻に対応している場合、ＵＥのために選択される。また、協調送信または非協調送信は、他の方法、例えば他の尺度に基づき、ＵＥのために選択されてもよい。
【００６３】
また、１つの設計例では、特定の協調送信モードが、タイミング情報に基づいてＵＥのために選択されてもよい。例えば、ジョイントプロセッシングの送信モードは、複数のセルがタイミングウインドウの中に入る受信時刻に対応している場合、ＵＥのために選択され得る。協調ビームフォーミング送信モード、または、協調サイレンシング送信モードは、１つのセルだけがタイミングウインドウの中に入る受信時刻に対応している場合、ＵＥのために選択され得る。特定の協調送信モードは、他の方法で、例えば、他の尺度に基づき、ＵＥのために選択され得る。
【００６４】
ブロック８２０の１つの設計例では、ＵＥは、ジョイントプロセッシングを用いたＵＥへの協調／ＣｏＭＰ送信に関与し得る複数のセルからデータ送信を受け得る。複数セルの各々は、タイミングウインドウの中にはいるＵＥでの受信時刻をもつ。他の設計例では、少なくとも１つのセルは、ＵＥのために、協調ビームフォーミングまたは協調サイレンシングを行う。協調ビームフォーミングまたは協調サイレンシングを行う各セルは、ＵＥでタイミングウインドウの中にはいる、あるいは、タイミングウインドウの外にある受信時刻のいずれをもってもよい。セルは、他の方法で、タイミング情報に基づき、ＵＥへのデータ送信のために選択され得る。
【００６５】
図９は、データ送信を容易にするために、タイミング情報を受信するためのプロセス９００の設計例を示す。プロセス９００は、例えば、サービスを行っているセル、サービス行わないセル、ネットワークコントローラ、等の無線ネットワークにおける１またはそれより多くの構成体により実行されてよい。複数のセルに係るタイミング情報はＵＥから受信される（ブロック９１２）。タイミング情報は、当該複数のセルからの信号のＵＥでの受信時刻を示す。また、複数のセルのチャネル状態情報は、ＵＥから受信される（ブロック９１４）。
【００６６】
受信される情報に基づき、協調または非協調データ送信が決められ得る（ブロック９１５）。一つの設計例では、協調送信モードは、タイミング情報に基づき、ＵＥのために選択され得る。複数のセルの中の１つまたはそれより多くのセルは、少なくとも部分的に、複数のセルに係るタイミング情報に基づき、データ送信に参加することが決められる（ブロック９１６）。データ送信は、例えば、ＵＥから受信していた場合に、チャネル状態情報に基づき、少なくとも１つのセルからＵＥに送られる（ブロック９１８）。
【００６７】
ブロック９１６の一つの設計例では、複数のセルの受信時刻がＵＥでタイミングウインドウの中にはいるかどうかは、タイミング情報に基づき決められ得る。１またはそれより多くのセルは、タイミングウインドウの中にはいる受信時刻をもった全てのセルの中から選択され得る。１つの設計例において、各セルの時間差は、タイミング情報から得られる。各セルの時間差は、ＵＥでのセルの受信時刻と基準時刻とに基づき決められる。１またはそれより多くのセルが、複数のセルに係る時間差に基づき選択される。
【００６８】
１つの設計例において、複数のセルが、ＵＥへのデータ送信のために選択され、その各々はジョイントプロセッシングを使ったＵＥへの協調／ＣｏＭＰ送信に関与できる。複数セルの各々は、タイミングウインドウの中にはいるＵＥでの受信時刻をもつ。１つの設計例では、ＵＥのための協調ビームフォーミングまたは協調サイレンシングを実行するために、複数のセルの中から少なくとも１つの他のセルが選ばれる。当該少なくとも１つの他のセルは、複数のセルに係るタイミング情報に基づき選択される。少なくとも１つの他のセルの各々は、ＵＥでタイミングウインドウの中にはいるか、タイミングウインドウの外にくるか、のいずれの受信時刻をもってもよい。
【００６９】
ＵＥによるセルに係るタイミング情報の報知は、この中に記載されるように、いくつかの利点を与える。タイミング情報は、ＵＥへの協調データ送信に使われ得る。例えば、タイミング情報は、ＵＥにデータを送信するために１またはそれより多くの好適なセルの選択を可能にし、結果、良好な性能が獲得できる。下りリンクのデータ送信を容易にするためにＵＥによって報知されるタイミング情報は、ＵＥの位置を検出するために位置に関してＵＥによって従来から報知されていた到達時間差（time difference of arrivals (TDOAs)）や他の時間計測とは大きく異なる。
【００７０】
図１０は、図１における基地局／ｅＮＢの一つとＵＥの一つであり得る、基地局／ｅＮＢ１１０とＵＥ１２０の設計例のブロック図を示す。基地局１１０は、１またはそれより多くのセルにサービスを提供し、Ｔ個のアンテナ１０３４ａから１０３４ｔ、ここでＴ≧１、を備える。ＵＥ１２０は、Ｒ個のアンテナ１０５２ａから１０５２ｒ、ここでＲ≧１、を備える。
【００７１】
基地局１１０で、送信プロセッサ１０２０は、データ源１０１２から１またはそれより多くのＵＥのためのデータを受け、１またはそれより多くの変調および符号化方式に基づいて各ＵＥのためのデータを処理し、全てのＵＥのためのデータシンボルを出す。また、プロセッサ１０２０は、コントローラ／プロセッサ１０４０から制御情報を受けて、処理し、制御シンボルを出す。また、プロセッサ１０２０は、基地局１１０によりサポートされている各セルのために、ＣＲＳ、ＰＳＳおよびＳＳＳの基準シンボルを生成する。送信・多重入力−多重出力プロセッサ（transmit (TX) multiple-input multiple-output (MIMO) processor）１０３０は、適用可能であれば、データシンボル、制御シンボル、および／または、基準シンボル上でプリコーディングを行い、Ｔ個の変調器（modulators (MODs)）１０３２ａから１０３２ｔにＴ個の出力シンボルストリームを与える。各変調器１０３２は、出力サンプルストリームを得るために、それぞれの出力シンボルストリーム（例えば、ＯＦＤＭ用、等）を処理する。各変調器１０３２は、下りリンク信号を得るために、出力サンプルストリームを処理する（例えば、アナログ変換、増幅、フィルタ、および、アップコンバート）。変調器１０３２ａから１０３２ｔからのＴ個の下りリンク信号は、それぞれ、Ｔ個のアンテナ１０３４ａから１０３４ｔを介して送信される。
【００７２】
ＵＥ１２０では、アンテナ１０５２ａから１０５２ｒが基地局１１０および他の基地局からの下りリンク信号を受け、復調器（demodulators (DEMODs)）１０５４ａから１０５４ｒのそれぞれに、受信信号を与える。各復調器１０５４は、入力サンプルを得るために、それぞれの受信信号を調整する（例えば、フィルタ、増幅、ダウンコンバート、および、デジタル化）。各復調器１０５４は、更に、受信シンボルを得るために、入力サンプル（例えば、ＯＦＤＭ用、等）を処理する。ＭＩＭＯ検出器１０５６は、Ｒ個全ての復調器１０５４ａから１０５４ｒから受信シンボルを得て、利用可能であれば、受信シンボル上でＭＩＭＯ検出を実行し、検出されたシンボルを出す。受信プロセッサ１０５８は、検出されたシンボルを処理し（例えば、復調とデコード）、ＵＥ１２０のためのデコードされたデータをデータシンク１０６０に与え、デコードされた制御情報をコントローラ／プロセッサ１０８０に与える。
【００７３】
上りリンク上、ＵＥ１２０では、送信プロセッサ１０６４は、データ源１０６２からのデータと、コントローラ／プロセッサ１０８０からの制御情報（例えば、「測定の組」の中にあるセルに係るチャネル状態情報とタイミング情報）を受ける。プロセッサ１０６４は、データシンボルと制御シンボルのそれぞれを得るために、データと制御の情報を処理する（例えば、エンコードと復調）。また、プロセッサ１０６４は、１またはそれより多くの基準信号のための基準シンボルを生成する。送信プロセッサ１０６４からのシンボルは、利用可能であれば、ＴＸ ＭＩＭＯプロセッサ１０６６によりプリデコードされ、更に、変調器１０５４ａから１０５４ｒ（例えば、ＳＣ−ＦＤＭ、ＯＦＤＭ用、等）によって処理され、基地局１１０と可能ならば他の基地局に送信する。基地局１１０では、ＵＥ１２０または他のＵＥからの上りリンク信号は、ＵＥ１２０と他のＵＥによって送られるデコードされたデータと制御情報を得るために、アンテナ群１０３４によって受信され、復調器１０３２により処理され、適用可能であれば、ＭＩＭＯ検出器１０３６により検出され、更に、受信プロセッサ１０３８により処理される。プロセッサ１０３８は、デコードされたデータをデータシンクに与え、デコードされた制御情報をコントローラ／プロセッサ１０４０に与える。
【００７４】
チャネルプロセッサ１０８４は、ＵＥ１２０の「測定の組」の中の各セルに係るチャネル応答（例えば、ＣＩＲ）を推定する。プロセッサ１０８４は、図５におけるチャネル推定器５１８、および／または、図６におけるＣＩＲ推定器６００を実施する。プロセッサ１０８０および／または１０８４は、例えば、上記のように、複数のセルに係る推定されたチャネル応答に基づき、「測定の組」の中のセルに係るチャネル状態情報とタイミング情報を決める。
【００７５】
コントローラ／プロセッサ１０４０と１０８０は、それぞれ、基地局１１０とＵＥ１２０での動作を指示する。ＵＥ１２０のプロセッサ１０８０および／または他のプロセッサやモジュールは、この中に記載される技術に係る図８のプロセス、および／または、他のプロセスを実施し、または、指示する。基地局１１０のプロセッサ１０４０および／または他のプロセッサとモジュールは、この中に記載される技術に係る図９のプロセス９００および／または他のプロセスを実行し、または、指示する。プロセッサ１０４０は、図５におけるセル検出ユニット５１６とタイミング検出ユニット５２０を提供する。メモリ１０４２と１０８２は、基地局１１０とＵＥ１２０のためのデータやプログラムコードを記憶する。スケジューラ１０４４は、下りリンクおよび／または上りリンク上でのデータ送信のために、ＵＥをスケジューリングする。スケジューラ１０４４は、図７におけるセル選択ユニット７１２とスケジューラ７１４を提供する。
【００７６】
ひとつの構成例では、無線通信用の装置１２０は、ＵＥへのデータ送信のために利用可能な複数のセルから信号を受信するための手段、前記複数のセルから受信する信号に基づいて当該複数のセルに係るタイミング情報を決めるための手段、前記複数のセルに係るタイミング情報をＵＥによって報知するための手段、ＵＥへのデータ送信への使用のために、前記複数のセルに係るチャネル状態情報をＵＥにより報知するための手段、および、前記複数のセルの中の少なくも１つのセルからデータ送信を受信するための手段、を有することができる。前記少なくとも１つのセルは、前記複数のセルに係るタイミング情報に少なくとも部分的に基づき決められてよい。データ送信は、ＵＥにより報知されているならば、チャネル状態情報に基づいて、前記少なくとも１つのセルにより送られる。
【００７７】
１つの構成例では、無線通信のための装置１１０は、複数のセルに係るタイミング情報をＵＥから受信するための手段、前記複数のセルに係るチャネル状態情報を前記ＵＥから受信するための手段、前記複数のセルに係るタイミング情報に少なくとも部分的に基づいて、前記複数のセルの中の少なくも１つのセルを決めるための手段、および、前記少なくとも１つのセルから前記ＵＥにデータ送信を送るための手段、を有することができる。前記少なくとも１つのセルは、前記複数のセルに係るタイミング情報に少なくとも部分的に基づき決められてよい。データ送信は、ＵＥにより報知されているならば、チャネル状態情報に基づいて、前記少なくとも１つのセルにより送られる。
【００７８】
１つの形態では、前述の手段は、前述の手段によって説明される機能を実行するよう構成された、基地局１１０のプロセッサ１０２０、１０３８、および／または１０４０、並びに／もしくは、ＵＥ１２０のプロセッサ１０５８、１０６４、および／または１０８０であってよい。他の形態では、前述の手段は、当該前述の手段により説明される機能を実行するよう構成された、１またはそれより多くのモジュールまたは任意の装置であってよい。
【００７９】
当該技術に習熟した者は、情報と信号が、異なる技術や技法の多様性の何らかを用いて表現され得ることを理解する。例えば、上の記載を通じて引用されるデータ、命令、コマンド、情報、信号、ビット、シンボル、および、チップは、電圧、電流、電磁波、磁場または磁粒子、光の場または光粒子、または、それらの任意の組み合わせで表現されてよい。
【００８０】
更に、当業者は、この中の開示に関連して記載された、様ざまな例示の論理ブロック、モジュール、回路、およびアルゴリズムのステップは、電子的なハードウェア、コンピュータソフトウェア、または両者の組み合わせとして実施され得ることを理解する。このハードウェアとソフトウェアの相互互換性を明瞭に示すために、様々な例示のコンポーネント、ブロック、モジュール、回路、ステップは、それらの機能に関し、一般化して、上に記載されている。そのような機能がハードウェアまたはソフトウェアとして実施されるかどうかは、システム全体に課せられる特定の用途や設計上の制約による。当業者は、特定の用途の各々のために変わる方法で記載された機能を実施することができるが、そのような実施の決定は、本開示の範囲から逸脱させるものと解されるべきではない。
【００８１】
この中の開示に関連して記載される様々な例示の論路ブロック、モジュール、および、回路は、この中に記載される機能を実施するように設計された、汎用プロセッサ、デジタル信号プロセッサ（ＤＳＰ）、特定用途向け集積回路（ＡＳＩＣ）、フィールドプログラマブルゲートアレイ（ＦＰＧＡ）、または、他のプログラム可能な論理デバイス、個別ゲート、もしくは、トランジスタロジック、または、それらの任意の組み合わせ、を用いて実施または実行され得る。汎用プロセッサは、マイクロプロセッサであってよいが、代わりに、プロセッサは、従来のプロセッサ、コントローラ、マイクロコントローラ、または、状態マシンであってもよい。また、プロセッサは、計算（コンピュータ処理）を行うデバイス、例えば、ＤＳＰｔｐマイクロプロセッサの組み合わせ、複数のマイクロプロセッサ、ＤＳＰコアと接続された１またはそれより多くのマイクロプロセッサ、または、他の前記のような任意の構成、として実施されてよい。
【００８２】
この中の開示に関連して記載される方法またはアルゴリズムのステップ（手順）は、ハードウェアの中に、プロセッサによって実行されるソフトウェアモジュールの中に、または、前記両者の組み合わせの中に、直接に組み込まれてよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能ディスク、ＣＤ−ＲＯＭ、または、当技術において知られている何らかの他の形態の記憶媒体の中に存在できる。例示の記憶媒体は、プロセッサが当該記憶媒体から情報を読み、および、当該記憶媒体に情報を書くことができるよう、プロセッサに接続される。代わりに、記憶媒体は、プロセッサと一体であってもよい。プロセッサと記憶媒体は、ＡＳＩＣの中に存在してもよい。当該ＡＳＩＣは、ユーザ端末の中に存在してもよい。代わりに、プロセッサと記憶媒体は、ユーザ端末において個別のコンポーネントとして存在してもよい。
【００８３】
１つまたはそれより多くの設計例において、記載される機能（functions）は、ハードウェア、ソフトウェア、ファームウェア、または、それらの任意の組み合わせの中に実現され得る。ソフトウェアの中で実施される場合、当該機能は、コンピュータ読み出し可能媒体上の１またはそれより多くの命令やコードとして、記憶されたり、伝達されたりし得る。コンピュータ読み出し可能媒体は、１つの場所から他の場所へのコンピュータプログラムの転送を容易にする任意の媒体を含む、コンピュータ記憶媒体と通信媒体との両方を含み得る。記憶媒体は、汎用、または、特定用途コンピュータによってアクセスされる、任意の利用可能な媒体であればよい。例であり、限定はされないが、そのようなコンピュータ読み出し可能媒体は、ＲＡＭ、ＲＯＭ、ＥＥＰＲＯＭ、ＣＤ−ＲＯＭまたは他の光ディスク記憶、磁気ディスク記憶または他の磁気記憶デバイス、または、命令やデータ構造の形式で所望のプログラムコード手段を担うまたは記憶するために使用されることができ、汎用または特定用途コンピュータまたは汎用または特定用途プロセッサによってアクセス可能な任意の他の媒体、から構成され得る。例として、ソフトウェアが、同軸ケーブル、光ファイバケーブル、撚り線、デジタル加入者線（digital subscriber line (DSL)）を使って、ウェブサイト、サーバ、または、他の遠隔ソースから送られる場合、同軸ケーブル、光ファイバケーブル、撚り線、デジタル加入者線は、媒体の定義の中に含まれる。この中で使われる場合のディスク（diskとdisc）は、コンパクトディスク（ＣＤ）、レーザディスク、光ディスク、ＤＶＤ（disc, digital versatile disc）、フロッピー（登録商標）ディスク、ブルーレイディスク（blue-ray disc）を含み、ここで、一般的に、”disk” は磁気的にデータを再生し、一方、”disc” はレーザを用いて光学的にデータを再生する。また、上記の組み合わせも、コンピュータ読み出し可能媒体の範囲の中に含まれる。
【００８４】
本開示の以上の記載は、当該技術に習熟した者に、本開示を製造したり、使用したりすることを可能にするために与えられる。本開示の様々な変更は、当技術に習熟した者に容易に明らかであり、この中で定義された包括的な概念は、本開示の思想や範囲から逸脱することなく、他の様々なかたちに適用され得る。従って、本開示は、この中に記載された例や設計例に限定されることを意図するものではなく、この中に記載された概念や新規な態様に合致する最も広い範囲を与えることを意図する。
【図１】
2013507889.tif 000005
【図２】
2013507889.tif 000006
【図３】
2013507889.tif 000007
【図４】
2013507889.tif 000008
【図５】
2013507889.tif 000009
【図６】
2013507889.tif 000010
【図７】
2013507889.tif 000011
【図８】
2013507889.tif 000012
【図９】
2013507889.tif 000013
【図１０】
2013507889.tif 000014
【国際調査報告】
2013507889.tif 000015
2013507889.tif 000016
2013507889.tif 000017
2013507889.tif 000018
2013507889.tif 000019